(57)【特許請求の範囲】
【請求項１】
３Ｄ画像を表示可能な表示部と、
前記表示部の前面に着脱可能に取り付けられ、前記表示部の表示画像より立体画像を透過させるフィルタパネルと、
前記フィルタパネルの着脱により進退するスライダと、前記スライダに形成された係合手段とを備え、前記フィルタパネルによる前記係合手段に対する押下によって前記スライダを初期位置から移動させ、前記フィルタパネルが前記表示部に取付けられて前記押下が解除されると、前記係合手段が前記初期位置に後退して前記フィルタパネルの一部に係合され、前記表示部の前面に前記フィルタパネルを保持させるパネル保持手段と、
前記スライダと接触して切替えられるスイッチを備えて、前記押下によって移動した前記スライダが前記スイッチに接触することにより前記フィルタパネルの着脱を検出する着脱検出手段と、
を備えることを特徴とする表示装置。
【請求項２】
３Ｄ画像を表示可能な表示部の前面に着脱可能に取り付けられ、前記表示部の表示画像から立体画像を透過させるフィルタパネルと、
前記フィルタパネルの着脱により進退するスライダと、前記スライダに形成された係合手段とを備え、前記フィルタパネルによる前記係合手段に対する押下によって前記スライダを初期位置から移動させ、前記フィルタパネルが前記表示部に取付けられて前記押下が解除されると、前記係合手段が前記初期位置に後退して前記フィルタパネルの一部に係合され、前記表示部の前面に前記フィルタパネルを保持させるパネル保持手段と、
前記スライダと接触して切替えられるスイッチを備えて、前記押下によって移動した前記スライダが前記スイッチに接触することにより前記フィルタパネルの着脱を検出する着脱検出手段と、
前記フィルタパネルが取り付けられた場合に、前記表示部の画像表示を３Ｄ画像モードに移行させる制御部と、
を備えることを特徴とする表示制御装置。
【請求項３】
前記表示部に表示させる画像情報を提供する画像提供手段を備え、
前記制御部は、前記フィルタパネルが取り付けられた場合に前記画像提供手段から３Ｄ画像情報を抽出して前記表示部に表示させることを特徴とする、請求項２に記載の表示制御装置。
【請求項４】
３Ｄ画像を表示可能な表示部の前面に着脱されるフィルタパネルからの押下によってスライダを初期位置から移動させ、前記フィルタパネルが前記表示部に取付けられて前記押下が解除されると、前記スライダに形成された係合手段が前記初期位置に後退して前記フィルタパネルの一部に係合され、前記表示部の前面に前記フィルタパネルを保持させ、
前記フィルタパネルの着脱を監視し、前記押下によって移動した前記スライダがスイッチに接触することで前記表示部に前記フィルタパネルが取り付けられたことを検出し、
前記表示部の画像表示を３Ｄ画像モードに移行させる、
ことを特徴とする表示制御方法。
【請求項５】
３Ｄ画像を表示可能な表示部と、
前記表示部の前面に着脱可能に取り付けられ、前記表示部の表示画像から立体画像を透過させるフィルタパネルと、
前記フィルタパネルの着脱により進退するスライダと、前記スライダに形成された係合手段とを備え、前記フィルタパネルによる前記係合手段に対する押下によって前記スライダを初期位置から移動させ、前記フィルタパネルが前記表示部に取付けられて前記押下が解除されると、前記係合手段が前記初期位置に後退して前記フィルタパネルの一部に係合され、前記表示部の前面に前記フィルタパネルを保持させるパネル保持手段と、
前記スライダと接触して切替えられるスイッチを備えて、前記押下によって移動した前記スライダが前記スイッチに接触することにより前記フィルタパネルの着脱を検出する着脱検出手段と、
前記フィルタパネルが取り付けられた場合に、前記表示部の画像表示を３Ｄ画像モードに移行させる制御部と、
を備えることを特徴とする電子機器。
【発明の詳細な説明】
【技術分野】
【０００１】
本発明は、表示部に着脱可能に構成した裸眼３Ｄフィルムパネルの着脱状態を監視し、例えば、その着脱に応じて３Ｄ画像を表示させる着脱構造及び着脱監視技術に関する。
【背景技術】
【０００２】
表示装置に表示する画像や映像を３次元（３Dimensions）で、立体的に視覚させるための手段として、例えば、視聴者側が偏光手段を装着するものや、表示装置側に立体表示手段を設置するものがある。立体画像を視覚させる偏光手段として、例えば、偏光メガネを利用しており、互いに異なった偏光状態に基づく視差画像が偏光メガネを通すことによって右目用画像が右目に入り、左目用画像が左目に入ることで立体画像を視覚させるものがある。また、裸眼で立体画像を視覚させるため、表示装置側に設置する立体表示手段として、例えば、視差バリア方式（Parallax Barrier）やレンチキュラー方式（Lenticular）等が知られている。
【０００３】
表示装置側に立体表示手段を設置するものとして、例えば、表示部に立体視用フィルタを装着可能な枠を備え、この枠は立体視用フィルタを着脱自在に支持するとともに、位置調整機構を備えるものがある（例えば、特許文献１）。
【０００４】
また、表示装置に対して画面フィルタを着脱可能にする手段として、例えば、フィルタの上部又は下部の両端近傍に爪を設け、且つ下部又は上部の中央部に爪を設けるものがある。そして、表示装置のキャビネット側には、画面の周縁の対応位置に、これらの爪を挿入するための切り欠き穴を設けるものがある（例えば、特許文献２）。
【０００５】
その他、表示装置等に設置する積層体の光学シートについて、例えば、表面層用光学シートや裏面層用光学シートに係合部を備え、この表面層用光学シートと裏面層用光学シートの間に中間層用光学シートが挿入されるものがある（例えば、特許文献３）。
【先行技術文献】
【特許文献】
【０００６】
【特許文献１】特開２００５−２１５１６１号公報
【特許文献２】実用新案登録第２５７９００５号公報
【特許文献３】特開２００９−４２６３２号公報
【発明の概要】
【発明が解決しようとする課題】
【０００７】
ところで、表示装置側に設置する立体表示用のフィルタパネルは、例えば、表示装置側に固定するものが多くある。このようにフィルタパネルを表示装置に固定すると、３Ｄを表示させない２Ｄ画像をフィルタパネルを通して観ることになり、画面解像度の低下や表示画像の明るさ等を低下させるという課題がある。
【０００８】
また、このような固定タイプのフィルタパネルは、着脱させるのが困難であり、１つの表示装置を２Ｄ又は３Ｄに対応させるのは不可能である。その他、この表示装置を利用して実行する画像プログラム等について、２Ｄか、３Ｄかを確認する必要が有り、実行（再生）操作を煩雑化している。
【０００９】
斯かる要求や課題について、特許文献１〜３にはその開示や示唆はなく、それを解決する構成等についての開示や示唆はない。
【００１０】
そこで、本開示の表示装置、表示制御装置、表示制御方法及び電子機器の目的は、３Ｄの画像を視覚可能にする偏光フィルタパネルを着脱可能に設置し、その着脱状態を監視して、２Ｄ又は３Ｄ画像の切替処理の適正化を図ることにある。
【００１１】
また、本開示の表示装置、表示制御装置、表示制御方法及び電子機器の他の目的は、２Ｄ、３Ｄ表示の切替え手順の簡易化を図ることにある。
【課題を解決するための手段】
【００１２】
上記目的を達成するため、本開示の表示装置、表示制御装置及び電子機器の一側面は、３Ｄ画像を表示可能な表示部と、表示部の表示画像より立体画像を透過させるフィルタパネルと、パネル保持手段と、フィルタパネルの着脱検出手段を備える。パネル保持手段は、フィルタパネルの着脱により進退するスライダと、スライダに形成された係合手段とを備え、フィルタパネルによる係合手段に対する押下によってスライダを初期位置から移動させ、フィルタパネルが表示部に取付けられて押下が解除されると、係合手段が初期位置に後退してフィルタパネルの一部に係合され、表示部の前面に前記フィルタパネルを保持させる。着脱検出手段は、スライダと接触して切替えられるスイッチを備えて、押下によって移動したスライダがスイッチに接触することにより表示部の前面に着脱可能に取り付けられたフィルタパネルの着脱を検出する。
【００１３】
また、本開示の表示装置、表示制御装置及び電子機器の他の側面は、上記構成とともに、制御部を備えている。この制御部は、フィルタパネルが取り付けられた場合に、表示部の画像表示を３Ｄ画像モードに移行させる。
【発明の効果】
【００１４】
本開示の表示装置、表示制御装置、表示制御方法又は電子機器によれば、次のいずれかの効果が得られる。
【００１５】
(1) ３Ｄを視覚可能にするフィルタパネルを着脱可能にし、その着脱状態を監視して、フィルタパネルの取付け時に３Ｄ画像、又はフィルタパネルを外した時に２Ｄ画像を視覚可能にすることができる。
【００１６】
(2) フィルタパネルの着脱状態の検出結果に応じて、２Ｄ画像又は３Ｄ画像を切替えることで、表示部の表示態様に適した画像の表示を行うことができる。
【００１７】
そして、本発明の他の目的、特徴及び利点は、添付図面及び各実施の形態を参照することにより、一層明確になるであろう。
【図面の簡単な説明】
【００１８】
【図１】第１の実施の形態に係る表示装置の構成例を示す図である。
【図２】第２の実施の形態に係るＰＣの外観構成例を示す図である。
【図３】フィルタパネルの着脱状態の一例を示す図である。
【図４】図２のＡ−Ａ方向から見て示した部分断面図である。
【図５】フィルタパネルの着脱状態の一例を示す側面図である。
【図６】図２のＢ−Ｂ方向から見て示した断面図である。
【図７】表示部の下部側の一例を示す断面図である。
【図８】表示部周辺の構成例を示す図である。
【図９】表示部周辺の構成例を示す分解図である。
【図１０】フィルタパネルの構成例を示す図である。
【図１１】枠部の構成例を示す図である。
【図１２】ロックスライダの構成例を示す図である。
【図１３】ロックスライダとスイッチの構成例を示す図である。
【図１４】フィルタパネルの保持状態の一例を示す図である。
【図１５】フィルタパネルの取り付け時のスライダの動作例を示す図である。
【図１６】フィルタパネルの取り付け時のスライダの動作例を示す図である。
【図１７】フィルタパネルの取り外し時のスライダの動作例を示す図である。
【図１８】着脱検出手段の機能構成例を示す図である。
【図１９】表示制御機能の構成例を示す図である。
【図２０】ＰＣのハードウェア構成例を示す図である。
【図２１】表示制御処理の一例を示すフローチャートである。
【図２２】２Ｄ／３Ｄ画像切替処理の一例を示すフローチャートである。
【図２３】３Ｄ画像抽出処理及び表示処理の一例を示すフローチャートである。
【図２４】３Ｄ画像情報に含まれる識別情報の一例を示す図である。
【図２５】３Ｄ画像情報に含まれる識別情報の他の一例を示す図である。
【図２６】他の実施の形態に係る電子機器の一例を示す図である。
【図２７】他の実施の形態に係るＰＣの構成例を示す図である。
【図２８】２Ｄ／３Ｄ画像切替処理の他の一例を示すフローチャートである。
【発明を実施するための形態】
【００１９】
〔第１の実施の形態〕
【００２０】
第１の実施の形態について、図１を参照する。図１は、第１の実施の形態に係る表示装置の構成例を示す図である。図１に示す構成は一例であって、これに限定されない。
【００２１】
このディスプレイ装置２は、本開示の表示装置、表示制御装置又は電子機器の一例であって、表示部４にフィルタパネル６を着脱可能にしており、このフィルタパネル６の有無によって、表示した画像を視聴者に２Ｄ又は３Ｄで認識させることができる。このディスプレイ装置２は、例えば、ＰＣ（Personal Computer ）のモニタやテレビジョン放送用の表示器等であって、例えば、表示部４、フィルタパネル６、筐体部８、着脱検出部１０を含む構成である。
【００２２】
表示部４は、画像表示手段の一例であって、ＰＣやテレビジョン受像器等から提供された写真や動画等の画像情報を表示する。この表示部４は、提供される３Ｄ画像を表示可能なものであればよく、例えば、液晶表示装置（ＬＣＤ：Liquid Crystal Display）やプラズマディスプレイ（ＰＤＰ：Plasma Display Panel）、その他の表示装置を利用すればよい。また、この表示部４は、設置した平面状のフィルタパネルによって３Ｄ画像を立体的に視聴可能に表示させるため、例えば、表示画面が平面状に構成されればよい。
【００２３】
フィルタパネル６は、前記表示部の前面側に取り付けられ、視聴者に裸眼で立体画像を視覚させる手段の一例であって、表示部４で表示される３Ｄ画像から立体画像を透過させるフィルタ機能を有する。このフィルタパネル６による３Ｄ画像の視覚は、例えば、視差バリア方式（Parallax Barrier）やレンチキュラーレンズを利用して実現している。この視差バリア方式は、細かい穴が無数に開いた膜を通し、右目と左目に違う映像を見させている。そして、視聴者は、２つの小さなピンホールを両目で見ることにより、右目と左目の角度差から、穴の反対側では左右の目がそれぞれ違うエリアを見ることになる。そこに右目用と左目用の２つの情報を分けて置くことにより、視聴者は、立体映像を認識することができる。また、このレンチキュラーレンズは、表面側に微小な円柱形のレンズを敷き詰め、映像からの光をレンズで屈折させて右目と左目に視差を付け、立体表示を行う。映像はレンズを透過するため、視差バリア方式より輝度が落ちにくい利点がある。
【００２４】
また、フィルタパネル６は、着脱可能に設置されており、例えば、視聴者が２Ｄ画像を視る場合には外し、３Ｄ画像を視る場合に設置することができる。例えば、３Ｄ画像は、３Ｄ表示用に画像が加工されており、表示部４に表示させた画像を裸眼で視ても視覚し難く、又は視覚できない。
【００２５】
筐体部８は、ディスプレイ装置の外装ケースの一例であって、例えば、内部に表示部４や表示部４に設置されるフィルタパネル６を覆って保持する。また、例えば、表示部に表示させる画像情報等の提供装置等の機能部品や、表示部４に対するフィルタパネル６の着脱状態を監視する着脱検出部１０を内蔵している。
【００２６】
着脱検出部１０は、表示部４の前面側に対するフィルタパネル６の着脱を検出して監視する手段の一例であって、例えば、筐体部８の内部にフィルタパネル６の接触を検知するセンサ等を設置すればよい。フィルタパネル６の取付け、又は取り外しを検出すると、ディスプレイ装置の表示制御装置や外部に設置した画像提供手段であるＰＣ等に、その検出情報を出力する。そして、フィルタパネル６の着脱情報に応じて、例えば、画像提供手段は、画像表示を開始したり、３Ｄ画像と２Ｄ画像との表示切替処理等を実行する。
【００２７】
斯かる構成によれば、３Ｄを視覚可能にするフィルタパネルを着脱可能にし、その着脱状態を監視して、フィルタパネルの取付け時に３Ｄ画像、又は外した時に２Ｄ画像を視覚可能にすることができる。また、フィルタパネルの着脱に応じて、２Ｄ画像又は３Ｄ画像を抽出することで、表示部の表示態様に適した画像の表示を行うことができる。
【００２８】
〔第２の実施の形態〕
【００２９】
次に、第２の実施の形態について、図２、３、４、５、６及び図７を参照する。図２は、第２の実施の形態に係るＰＣの外観構成例を示す図、図３は、フィルタパネルの着脱状態の一例を示す図、図４は、図２のＡ−Ａ方向から見て示した部分断面図である。図５は、フィルタパネルの着脱状態の一例を示す側面図、図６は、図２のＢ−Ｂ方向から見て示した断面図である。図７は、表示部の下部側の一例を示す断面図である。図２〜図７に示す構成は一例であって、これに限定されない。
【００３０】
このＰＣ２０は、本開示の表示装置、表示制御装置、電子機器の一例であって、前面側に裸眼で３Ｄを視覚可能にするフィルタパネル２２を設置した表示部２４から３Ｄ画像の表示を行う。図２に示すＰＣ２０は、例えば、ＰＣ本体部２６と表示部２４とを一体型に共通の筐体２８で構成している。そして、この筐体部２８には、例えば、表示部２４、ディスクドライブ装置３０等が設置されている。
【００３１】
表示部２４は、本開示の表示装置の一例であって、例えば、液晶表示ユニット３２の前面側にフィルタパネル２２が設置されている。フィルタパネル２２は、図３に示すように、液晶表示ユニット３２の前面側に向けて着脱可能に構成されている。そして、フィルタパネル２２が設置された場合には、既述のように、立体画像を透過することで、このＰＣ２０の利用者は、表示部２４に表示された３Ｄ画像を立体的に視覚することができる。また、フィルタパネル２２を取り外した場合には、利用者は、表示部２４に表示された画像を２Ｄ状態で視覚する。この場合、例えば、フィルタパネル２２を取り外した状態で３Ｄ画像が表示されたとしても、利用者はこの画像を立体的に視覚することはできない。
【００３２】
このフィルタパネル２２は、例えば、左右両辺の上部側の一部を表示部２４から前面側に突出させるように立壁させたタブ３４を備えている。このタブ３４は、例えば、筐体部２８内の表示部２４側に固定させるとともに、着脱操作手段の一例である。そして、図３に示すように、利用者は、タブ３４を掴み、フィルタパネル２２の下部側を回転軸として、フィルタパネル２２を液晶表示ユニット３２に対して回動させるように着脱操作を行うことができる。また、タブ３４は、例えば図４に示すように、中央部に開口部３６が形成されている。この開口部３６は、例えば、筐体部２８側に設置されたロックスライダ３７のロック部３８に係合させる手段である。
【００３３】
ＰＣ本体部２６は、筐体部２８内において、液晶表示ユニット３２の背面側に配置され、例えば、ＰＣ２０の制御装置、記憶装置、電源装置、その他の機能装置を備えている。
【００３４】
ディスクドライブ装置３０は、画像提供手段の一例であって、例えば、ＣＤ（Compact Disk）、ＤＶＤ（Digital Versatile Disk）等の記憶媒体に記憶された画像プログラムを読取ることで表示部２４に３Ｄ画像又は２Ｄ画像を表示させることができる。
【００３５】
液晶表示ユニット３２は、表示部の一例であって、例えば、ＰＣ２０の記憶部や記憶媒体、テレビジョン放送、又はネットワーク等を通じて取得した２Ｄ画像又は３Ｄ画像を表示可能な表示装置である。この液晶表示ユニット３２は、液晶パネルやバックライト、その他制御部品等で構成されている。
【００３６】
筐体部２８は、図４に示すように、例えば、ＰＣ２０の前面側に配置された第１の筐体部４０と、背面側に配置された第２の筐体部４２とを備える。この第１の筐体部４０には、ＰＣ２０の前面側に液晶表示ユニット３２やフィルタパネル２２を配置する表示窓部４４が形成されている。そして、既述のように、フィルタパネル２２は、この表示窓部を通じて液晶表示ユニット３２に着脱される。第２の筐体部４２は、表示部２４の背面側に配置されたＰＣ本体部２６を保持している。
【００３７】
その他、この筐体部２８の背面側には、例えば、筐体部２８を支持する支持部４６や、この支持部４６が設置されてＰＣ２０を底面から支持する土台部４８を備える。
この支持部４６は、例えば、表示部２４の角度を上下方向に変更可能に支持するヒンジ機構を備えてもよい。
【００３８】
また、この第１の筐体部４０の表示窓部４４の内側には、例えば、液晶表示ユニット３２の四隅に合せて配置した枠部５０を備えている。この枠部５０は、例えば、液晶表示ユニット３２と第１の筐体部４０との間に所定の隙間を保持する手段の一例であって、液晶表示ユニット３２に対し、上部枠５２、側部枠５４、５６、下部枠５８を形成している。
【００３９】
上部枠５２は、例えば、表示窓部４４の開口部分に合せた高さに設定されており、液晶表示ユニット３２を保持する保持部材６０に接触している。この保持部材６０は、例えば、液晶表示ユニット３２の周囲及び前面側の一部を覆うように構成されており、板金部材で形成されている。そして、図５に示すように、上部枠５２が表示窓部４４から突出させないように構成されているため、フィルタパネル２２の着脱操作において、上部枠５２にフィルタパネル２２を接触させないように設定されている。
【００４０】
側部枠５４、５６は、例えば、表示窓部４４の内側において、液晶表示ユニット３２を保持する保持部材６０に接触している。また、この側部枠５４、５６には、液晶表示ユニット３２に装着したフィルタパネル２２を保持するロックスライダ３７を備えている。ロックスライダ３７は、側部枠５４、５６の内部側からフィルタパネル２２側に向けて進退するスライダの一例であって、先端には、フィルタパネル２２の着脱進路上に突出させたロック部３８を備えている。
【００４１】
このロック部３８は、図６に示すように、フィルタパネル２２の開口部３６に嵌合してフィルタパネル２２を保持するパネル保持手段の一例である。そして、ロック部３８は、図５Ａに示すように、液晶表示ユニット３２との間に、フィルタパネル２２の厚さに合せた間隔で配置させている。これにより、図５Ｂに示すように、フィルタパネル２２は、液晶表示ユニット３２に対して平行に配置されるので、液晶表示ユニット３２に表示された３Ｄ画像の透過光量を減少させず、適正に３Ｄ画像の立体表示を行うことができる。
【００４２】
また、ロックスライダ３７及びフィルタパネル２２のタブ３４を表示窓部４４側面の上側に配置することで、フィルタパネル２２を高い位置で保持している。そして、フィルタパネル２２の着脱では、図５Ａに示すように、フィルタパネル２２の下部側を先に設置し、この下部側を支点として回動させることで、大型で重いパネルの設置作業を容易化することができる。また、図５Ｂに示すように、このロック部３８が、回動支点であるフィルタパネル２２の下部から離れた位置で保持しているので、液晶表示ユニット３２からフィルタパネル２２が前面側に倒れこむのを防止するための保持力を小さくすることができる。
【００４３】
下部枠５８は、例えば、図７に示すように、液晶表示ユニット３２の下部側に配置された保持部材６０と第１の筐体部４０との間に設置されている。この下部枠５８と保持部材６０とは、例えば、両面テープ等で構成された接着層６２で固着されている。また、下部枠５８には、例えば、液晶表示ユニット３２に取付けられたフィルタパネル２２の前面側において、上側に突出させた突部６４が形成されている。この突部６４は、第１の筐体部４０の表示窓部４４の開口部分よりも上側に突出させており、取付けられたフィルタパネル２２が表示窓部４４に対して平行移動するのを阻止している。
【００４４】
その他、液晶表示ユニット３２を保持する保持部材６０は、液晶表示ユニット３２の前面側に、フィルタパネル２２を載置する載置部６６を備えている。この載置部６６は、例えば、保持部材６０と下部枠５８との接着部分よりも高く、且つ下部枠５８の突部６４よりも低い位置でフィルタパネル２２の底部側と接触させるように設定されている。即ち、この載置部６６は、フィルタパネル２２の底部側を下部枠５８上に接触させない高さに設定されている。この保持部材６０は、液晶表示ユニット３２に対して隙間なく接触しているので、載置部６６にフィルタパネル２２を載置することで、液晶表示ユニット３２とフィルタパネル２２との平行を維持することができる。また、この載置部６６は、突部６４よりも低い位置に構成されているので、フィルタパネル２２を取付ける場合、既述のように、利用者は、フィルタパネル２２の底部側を先に載置させ、その上部側を回動させることになり、フィルタパネル２２を液晶表示ユニット３２に平行に設置することができる。
【００４５】
次に、表示部の構成例について、図８、図９、図１０及び図１１を参照する。図８は、表示部周辺の構成例を示す図、図９は、表示部周辺の構成例を示す分解図、図１０は、フィルタパネルの構成例を示す図、図１１は、枠部の構成例を示す図である。図８〜図１１に示す構成は一例であって、これに限定されない。
【００４６】
図８に示す表示部２４は、ＰＣ２０の表示機能部の一例であって、ＰＣ２０の前面側に配置されており、既述のように液晶表示ユニット３２の前面側に着脱可能なフィルタパネル２２が設置され、３Ｄ画像を立体的に表示させることができる。
【００４７】
この表示部２４は、例えば、図９に示すように、第１の筐体部４０の内側に、枠部５０及び保持部材６０を介して液晶表示ユニット３２が設置され、表示窓部４４に対して液晶表示ユニット３２の表示面を臨ませて配置する。また、第１の筐体部４０の表示窓部４４の前面側から、液晶表示ユニット３２に対して着脱可能なフィルタパネル２２が設置される。
【００４８】
図１０に示すフィルタパネル２２は、複数のパネル部品を積層して構成されており、例えば、透明な又は光を透過する樹脂等のタブ付きパネル７０、補強パネル７２、３Ｄパネル７４、フィルム７６を備えている。タブ付きパネル７０は、表示装置の前面側に配置され、既述のように、両側面の上部側にタブ３４を備えている。そして、ＰＣ２０の利用者は、このタブ３４を把持してフィルタパネル２２の着脱操作を行うことができる。
【００４９】
補強パネル７２は、例えば、着脱操作時に利用者等による接触から３Ｄパネル７４を防護する手段の一例であり、また加圧等によるフィルタパネル２２の変形を防止して、３Ｄパネル７４の平行度を維持することができる。
【００５０】
３Ｄパネル７４は、液晶表示ユニット３２で表示された３Ｄ画像から立体画像を透過させるフィルタパネルの一例であって、既述のように、レンチキュラーレンズ又は視差バリア方式を採用したレンズで構成している。
【００５１】
フィルム７６は、例えば、液晶表示ユニット３２との間に配置させ、３Ｄパネル７４を保護する手段の一例である。
【００５２】
なお、このフィルタパネル２２の積層構成は一例であり、例えば、３Ｄパネル７４に対してタブ付きパネル７０、補強パネル７２、フィルム７６の積層順序を変更してもよく、又はフィルム７６を省略してもよい。この積層構成は、例えば、透過させる光量の設定やフィルタパネル２２の重量、厚さ等の設計により変更してもよい。
【００５３】
図１１に示す枠部５０は、上部枠５２、側部枠５４、５６、下部枠５８で液晶表示ユニット３２の表示面側の周囲を覆い、この枠部５０で形成した開口８０から液晶表示ユニット３２の表示面を臨ませることができる。この側部枠５４、５６には、既述のように、ロックスライダ３７を備え、このロックスライダ３７の先端部には、フィルタパネル２２のタブ３４に形成された開口部３６に係合させて保持するロック部３８が形成されている。また、このロックスライダ３７は、フィルタパネル２２を保持するとともに、フィルタパネル２２の着脱を検出する検出手段として機能させる。
【００５４】
次に、ロックスライダの機能構成について、図１２、図１３及び図１４を参照する。図１２は、ロックスライダの構成例を示す図、図１３は、ロックスライダとスイッチの構成例を示す図、図１４は、フィルタパネルの保持状態の一例を示す図である。図１２〜図１４に示す構成は一例であって、これに限定されない。
【００５５】
ロックスライダ３７は、図１２に示すように、先端側に構成したロック部３８を枠部５０で形成した開口８０側に突出させてフィルタパネル２２のタブ３４を係止することができる。このロックスライダ３７は、フィルタパネル２２の着脱時に側部枠５４、５６側に平行移動する。このロックスライダ３７は、例えば、側部枠５４、５６側に係止させ、開口８０側への移動を制限する係止爪８４、８６やロックスライダ３７の進退をガイドするスライドピン９０を備えている。
【００５６】
ロックスライダ３７は、例えば、側部枠５４、５６に設けられたスライド枠部８８内に対して、スライド可能に配置されている。係止爪８４、８６は、このスライド枠部８８に形成された係止孔９２、９４にそれぞれ嵌合させている。また、スライドピン９０は、スライド枠部８８内のガイド孔９６に対して、スプリング９８を介して貫通させている。
【００５７】
ロック部３８は、例えば、図１３に示すように、開口８０側に向け、且つ表示面の前面側から裏面側に向けて傾斜面部１００を構成している。係止爪８４、８６は、ロックスライダ３７がスライド枠部８８方向にスライドすると、係止孔９２、９４内に深く貫通する。同様に、スライドピン９０は、ガイド孔９６内に深く貫通し、同時にスプリング９８はスライド方向に圧縮される。
【００５８】
スライドピン９０は、スライド枠部８８内に対してロックスライダ３７をスライド方向にガイドするとともに、図１３に示すスイッチ１０２に対して接触させてスイッチのＯＮ／ＯＦＦを切替えるスイッチ切替手段の一例である。そして、このスライドピン９０とスイッチ１０２が協働してフィルタパネル２２の着脱検出手段を構成する。このスライドピン９０は、例えば、ロックスライダ３７の背面側に設置され、又は一体に形成されており、その周囲にスプリング９８が配置されている。
【００５９】
スプリング９８は、例えば、ロックスライダ３７に対する付勢手段の一例であって、一端側をロック部３８の背面側に固定し、他端をスライド枠部８８の一部に接触させる。そして、フィルタパネル２２の着脱によりロック部３８が押下されると、スライド枠部８８内で縮み、その復元力をロック部３８側に付勢する。これにより、ロック部３８の一部を、枠部５０側に突出させることができる。
【００６０】
なお、ロックスライダ３７に対する付勢手段は、スプリングに限られず、例えば、ゴム、バネ等の弾性部材で構成され、復元力が得られるものであればよい。
【００６１】
スイッチ１０２は、フィルタパネル２２の着脱検出手段の一例であって、ロックスライダ３７のスライド移動により、ガイド孔９６から突出したスライドピン９０に接触する。この接触によりＯＮ／ＯＦＦが切替えられ、フィルタパネル２２の着脱を検出する。そして、このスイッチ１０２の切替え信号は、例えば、ＰＣ２０の制御部側に通知され、フィルタパネル２２が取り付けられた場合に、液晶表示ユニット３２の画像表示を３Ｄ画像モードに移行させる。
【００６２】
なお、図１３に示すロックピンの構成は、側部枠５６の場合を示しているが、例えば、側部枠５４も同様の構成とすればよい。また、フィルタパネル２２の着脱を検出するスイッチ１０２は、左右の側部枠５４、５６の両方に設置してもよく、又は少なくとも何れか一方に配置してもよい。
【００６３】
フィルタパネル２２の保持状態を図１４に示す。図１４Ａに示すように、第１の筐体部４０の表示窓部４４の内部には、既述のように、両側部枠５４、５６からロック部３８が突出し、フィルタパネル２２の取付け方向に阻止するように配置されている。そして、このロック部３８を押下してスライドさせ、枠部５０で形成した開口８０内にフィルタパネル２２を挿入した後、ロック部３８に対する押下を解除する。これにより、図１４Ｂに示すように、ロック部３８をフィルタパネル２２の開口部３６内に突入させる。これにより、ロックスライダ３７の一端をフィルタパネル２２に接触させて係止することができる。
【００６４】
次に、フィルタパネル２２の着脱処理について、図１５、図１６及び図１７を参照する。図１５、図１６は、フィルタパネルの取り付け時のスライダの動作例を示す図、図１７は、フィルタパネルの取り外し時のスライダの動作例を示す図である。
【００６５】
フィルタユニット２２が取付け前の状態では、図１５Ａに示すように、ロック部３８に形成された傾斜面部１００は、表示窓部４４内に突出するように配置されている。このとき、ロックスライダ３７のスプリング９８は最も伸びた状態を維持しており、スライダピン９０は、スイッチ１０２から離間している。
【００６６】
フィルタパネル２２を表示窓部４４内に移動させ、既述のようにフィルタパネル２２の下部側を保持部材６０の載置部６６に載せる。そして、フィルタパネル２２の下部側を回転軸にし、上部側を液晶表示ユニット３２側に回動させていくと、例えば、図１５Ｂに示すように、フィルタパネル２２の背面側は、ロック部３８の傾斜面部１００に接触する。このとき、例えば、ロックスライダ３７は、側部枠５４、５６の外周側に向けてスライドしていない。
【００６７】
利用者がタブ３４を表示部２４内に向けて押込むと、ロックスライダ３７は、その挿入方向の力を傾斜面部１００側で受け、スプリング９８の弾性力に対抗し、側部枠５４、５６の外周側に向けてスライドを開始する。挿入されるフィルタパネル２２が傾斜面部１００上を摺動していくことにより、ロックスライダ３７はスライドしていく。そして、図１６Ｃに示すように、フィルタパネル２２がロック部３８の端部側に接触する状態が、ロックスライダ３７の最大移動位置であり、この時、スライドピン９０がスイッチ１０２を押下する。そして、スイッチ１０２が押下されたタイミングでＰＣ２０は、フィルタパネル２２が装着されたことを検知する。
【００６８】
そして、さらにフィルタパネル２２を挿入させ、液晶表示ユニット３２に密着させると、図１６Ｄに示すように、フィルタパネル２２からの押圧から開放されたロックスライダ３７がスプリング９８の復元力により初期位置まで移動する。即ち、ロック部３８の傾斜面部１００が開口８０側から突出する位置まで移動する。このロックスライダ３７の移動により、ロック部３８は、傾斜面部１００の先端側がタブ３４の開口部３６内に入り込むことで、フィルタパネル２２を係止する。
【００６９】
フィルタパネル２２の取り外しでは、図１７Ａに示すように、例えばロック部３８を押下して、ロックスライダ３７を側部枠５４、５６側にスライドさせ、タブ３４の開口部３６に嵌められていたロック部３８を解除する。このロック部３８の解除動作は、例えば利用者がタブ３４を掴んだ指等を利用して押下すればよい。ロック部３８の押下によりロックスライダ３７がスライドすると、スライドピン９０がスイッチ１０２に接触する。スイッチ１０２は、この接触を検出すると表示制御部やＰＣ等の絵像提供手段側に対して押下されたことを示す情報を通知する。
【００７０】
ロック部３８を押下したまま利用者がフィルタパネル２２を抜き取り方向に回動させると、図１７Ｂに示すように、フィルタパネル２２はその一部をロック部３８の傾斜面部１００に摺動させながら抜き取られる。フィルタパネル２２の抜き取りに応じてロックスライダ３７への負荷も解除されていき、フィルタパネル２２とロック部３８との接触が解除されると、図１７Ｃに示すように、ロックスライダ３７は、ロック部３８を突出させて初期位置に戻る。
【００７１】
次に、着脱検出手段の構成例について、図１８を参照する。図１８は、着脱検出手段の機能構成例を示す図である。
【００７２】
ＰＣ２０では、表示部２４に対するフィルタパネル２２の着脱を検出して、例えば、３Ｄ画像を表示させる３Ｄモードへの移行を行う。そこで、フィルタパネル２２の着脱検出手段として、既述のようにフィルタパネル２２の着脱操作に応じてスライドするロックスライダ３７を利用している。ロックスライダ３７は、進退することでスイッチ１０２に接触する。スイッチ１０２は、ロックスライダ３７の接触により押下されることで、例えば、ＯＮ又はＯＦＦに切替えられる。
【００７３】
スイッチ１０２の切替は、例えば、スイッチ１０２の押下毎に電源と通電状態又は遮断状態となる。ＰＣ２０の制御部側では、例えば、この通電状態、遮断状態の切替をフィルタパネル２２の着脱検出による切替信号として把握する。ここで、ＰＣ２０の制御部側には、例えば、ロジック回路１０４、Ｉ／Ｏ（Input/Output）１０６、ＣＰＵ（Central Processing Unit ）１０８等を備えている。
【００７４】
ロジック回路１０４は、整合手段の一例であって、例えば、スイッチ１０２からの切替出力信号に対し、チャタリング除去や論理整合等を実行する機能回路を構成している。
【００７５】
Ｉ／Ｏ１０６は、着脱検出信号を制御部側に取込むインターフェース（Interface ）の一例であって、スイッチ１０２からの着脱検出信号を判別した上で、その挙動を元に、ＰＣ２０の動作制御プログラムに対してイベントとしてトリガーする。このＩ／Ｏ１０６は、例えば、制御部を構成するチップセット（Chipset ）のＧＰＩＯ（General Purpose I/O ）で構成すればよい。
【００７６】
ＣＰＵ１０８は、演算手段の一例であって、制御プログラムの実行演算によりＰＣ２０の動作制御を行う。そして、ＣＰＵ１０８は、フィルタパネル２２の着脱検出信号に基づき、表示部２４に表示させる画像について、２Ｄ表示モード又は３Ｄ表示モードへ切替える表示制御を行う。  
【００７７】
なお、着脱を検出するスイッチ１０２は、ロックスライダ３７の押下により着脱を検出する場合に限られず、例えば、接近により検出する磁気センサ等を利用してもよい。
【００７８】
次に、ＰＣの表示制御機能及びＰＣ構成例について、図１９及び図２０を参照する。図１９は、表示制御機能の構成例を示す図、図２０は、ＰＣのハードウェア構成例を示す図である。
【００７９】
このＰＣ２０は、フィルタパネル２２の着脱に応じた表示制御を行っており、例えば、既述のように、液晶表示ユニット３２の前面側に立体画像を透過させるフィルタパネル２２を取付けた場合、３Ｄ画像を抽出して表示させることができる。そこで、ＰＣ２０には、２Ｄ／３Ｄ切替検出部１１０や、制御部１１１として、インタラプトイベント発生部１１２、３Ｄアプリケーション起動部１１４、３Ｄ識別情報判別部１１６、表示実行部１１８を備える。また、ＰＣ２０は、表示部２４、画像データ入力部１２０や画像データ格納部１２２とを備える。
【００８０】
２Ｄ／３Ｄ切替検出部１１０は、表示部２４が３Ｄ画像を表示可能な状態か否かを監視する手段の一例であって、例えば、既述のスイッチ１０２を含む構成である。そして、この２Ｄ／３Ｄ切替検出部１１０は、例えば、液晶表示ユニット３２に対するフィルタパネル２２の着脱操作により生じるスイッチ１０２の切替を検出することで、２Ｄ画像又は３Ｄ画像の表示可能な状態の切替えを検出する。
【００８１】
制御部１１１は、フィルタパネル２２の着脱状態に応じて、表示部２４の画面表示を２Ｄ画像モード又は３Ｄ画像モードに切替える手段の一例である。制御部１１１は、例えば、フィルタパネル２２が取り付けられた場合には、画像提供手段である画像データ格納部１２２等から３Ｄ画像情報の抽出処理や表示部２４へ３Ｄ画像の表示処理等を指示する。また、制御部１１１は、表示部２４にフィルタパネル２２が無い場合は画像データ格納部１２２等から３Ｄ画像情報を含まない画像情報を抽出して表示させる。
【００８２】
インタラプトイベント発生部１１２は、２Ｄ／３Ｄ切替検出部１１０の検出出力に応じて、表示処理の割込み制御を行う手段の一例である。液晶表示ユニット３２にフィルタパネル２２が取付けられた場合、インタラプトイベント発生部１１２は、例えば、３Ｄ画像を抽出して表示させるため、ＰＣ２０の制御部に対して３Ｄ表示モードへの切替指示を出力する。また、フィルタパネル２２が取り外された場合、２Ｄ／３Ｄ切替検出部１１０の検出出力に応じてインタラプトイベント発生部１１２は、例えば、２Ｄ表示モードへの切替指示を出力する。
【００８３】
３Ｄアプリケーション起動部１１４は、３Ｄ画像を表示させるための表示制御手段の一例であって、例えば、規定された３Ｄ画像フォーマットの読込みや確認、画像再生プログラムの起動、その他３Ｄ画像表示用の設定処理等を行う。
【００８４】
３Ｄ識別情報判別部１１６は、画像データ格納部１２２等に格納された画像データに３Ｄ画像が含まれているか否かを判別し、３Ｄ画像を抽出する手段の一例であって、例えば、画像情報に含まれる識別情報内に３Ｄ画像であることを示す情報が含まれるか否かの判断を行う。
【００８５】
表示実行部１１８は、抽出された３Ｄ画像情報を表示部２４に表示させる手段の一例である。この表示実行部１１８は、例えば、３Ｄアプリケーション起動部１１４で設定されたフォーマットに従って、３Ｄ画像を再生実行する。
【００８６】
画像データ入力部１２０は、例えば、記憶媒体等から画像情報を入力する手段の一例である。
【００８７】
画像格納部１２２は、ＰＣ２０で実行可能な２Ｄ画像データや３Ｄ画像データ等を格納する手段である。
【００８８】
また、図２０に示すＰＣ２０は、例えば、ＣＰＵ１０８、記憶部１３０、ＲＡＭ（Random Access Memory）１３２、操作入力部１３４、通信部１３６がチップセット１３８、バス１３９で接続されている。そして、ＰＣ２０は、表示部２４に対して２Ｄ画像又は３Ｄ画像の表示制御処理を行っている。
【００８９】
記憶部１３０は、画像情報や制御プログラム等の記憶手段の一例であって、ＰＣ２０の動作等を制御するＯＳ（Operating System）や、画像実行プログラム、３Ｄ実行フォーマットデータ、その他の制御プログラム等を記憶している。この記憶部１３０は、例えば、プログラム記憶部１４０やデータ記憶部１４２を構成している。
【００９０】
プログラム記憶部１４０は、ＰＣ２０の動作制御プログラム等を記憶する手段の一例であって、例えば、ＲＯＭ（Read Only Memory）等で構成される。そして、プログラム記憶部１４０は、既述のようにＯＳや画像実行プログラム、２Ｄ／３Ｄ切替プログラム等を記憶しており、画像処理を実行する場合には、これらのプログラムが読み出される。
【００９１】
データ記憶部１４２は、画像情報等を記憶する手段の一例であって、例えば、ＲＯＭやフラッシュメモリ等で構成されている。そして、このデータ記憶部１４２は、例えば、既述の画像データ格納部１２２として機能させればよい。
【００９２】
なお、このプログラム記憶部１４０やデータ記憶部１４２は、例えば、電気的に内容を書き換えることができるＥＥＰＲＯＭ（Electrically Erasable and Programmable Read Only Memory ）等で構成してもよい。
【００９３】
また、上記の画像情報や画像実行プログラム、その他、例えば、３Ｄ実行フォーマットデータ等は、プログラム記憶部１４０やデータ記憶部１４２等に記憶されたものに限られない。例えば、磁気ディスク、フレキシブルディスク、光ディスク、光磁気ディスク等のコンピュータで読出し可能な記録媒体に記憶されているものを利用してもよい。さらに、ネットワーク上にあるサーバやデータベース等からプログラム等を読み込んで利用してもよい。
【００９４】
ＲＡＭ１３２は、動作制御プログラム等を実行させるためのワークエリアを構成している。そして、ＣＰＵ１０８が制御プログラムを実行することで、例えば、２Ｄ／３Ｄ切替検出部１１０、インタラプトイベント発生部１１２、３Ｄアプリケーション起動部１１４、３Ｄ識別情報判別部１１６、表示実行部１１８等として機能する。また、例えば、表示部２４に対する動作制御を実行する。
【００９５】
操作入力部１３４は、ＰＣ２０に対するユーザインターフェースの一例であって、例えば、キーボードやマウス等で構成されている。そして、例えば、操作入力部１３４は、表示部２４に表示可能な画像情報が抽出された場合、それらの画像情報から利用者が視聴したい画像情報の選択入力等を行う。
【００９６】
表示部２４は、実行された画像を表示するほか、例えば、データ記憶部１４２から抽出された表示可能な画像情報の一覧を表示してもよい。
【００９７】
通信部１３６は、例えば無線又は有線通信により、例えば、インターネット等の外部ネットワーク環境に接続する手段であって、他のＰＣやサーバ等から画像情報や画像実行プログラム等を取込んでもよい。
【００９８】
チップセット１３８は、記憶部１３０や表示部２４等の制御機能を含み、ＣＰＵ１０８等との連携処理を実行する回路装置であって、既述のＩ／Ｏ１０６は、チップセット１３８に構成されている。
【００９９】
このような構成において、例えば、Ｉ／Ｏ１０６から入力されたスイッチ１０２の切替に基づき、ＰＣ２０は、このスイッチ１０２の切替をフィルタパネル２２の着脱検出情報として把握し、２Ｄ／３Ｄの切替制御を含む表示制御を実行する。
【０１００】
次に、表示制御処理について、図２１、図２２、図２３、図２４及び図２５を参照する。図２１は、表示制御処理の一例を示すフローチャート、図２２は、２Ｄ／３Ｄ画像切替処理の一例を示すフローチャート、図２３は、３Ｄ画像抽出処理及び表示処理の一例を示すフローチャートである。図２４は、３Ｄ画像情報に含まれる識別情報の一例を示す図、図２５は、３Ｄ画像情報に含まれる識別情報の他の一例を示す図である。図２１〜図２５に示す処理内容、処理手順等は一例であって、これに限定されない。
【０１０１】
この表示制御処理は、本開示の表示制御方法の一例であって、例えば、ＰＣ２０の表示制御プログラム等により実行される。そして、この表示制御処理では、表示部に対して、３Ｄ画像を透過させるフィルタパネルが取付けられた場合には、表示部は、３Ｄ画像モードに切替える。また、フィルタパネルが取付けられていない場合、又は取り外された場合には、表示部は、２Ｄ画像モードの処理を行う。
【０１０２】
そこで、図２１に示すように、表示部に対するフィルタパネルの着脱監視処理を行う（ステップＳ１１）。この監視処理は、例えば、スイッチ１０２による着脱検出を利用する。フィルタパネル２２の着脱検出は、ロックスライダ３７のスライド動作によりスイッチ１０２が切替えられたことを検出すればよい。
【０１０３】
次に、着脱監視の結果から、フィルタパネル２２の着脱に応じて画像抽出処理を行う（ステップＳ１２）。例えば、フィルタパネル２２が取付けられた場合には、ＰＣ２０のデータ記憶部１４２に記憶されている画像情報から３Ｄ画像を抽出する。また、フィルタパネル２２が取付けられていない場合には、２Ｄ画像を抽出する。
【０１０４】
そして、抽出された画像情報を表示部２４の液晶表示ユニット３２に表示させる（ステップＳ１３）。
【０１０５】
なお、これらの表示制御処理は、ステップＳ１１〜ステップＳ１３を常に繰り返し実行されている。そして、フィルタパネル２２が取付けられたことを検出した場合には、インタラプト処理として、インタラプトイベント発生部１１２により、３Ｄ画像モードに切替える。
【０１０６】
（２Ｄ／３Ｄ画像切替プログラムの実行処理）
【０１０７】
次に、図２２に示す２Ｄ／３Ｄ画像切替プログラムの実行処理は、例えば、フィルタパネル２２の着脱監視処理（ステップＳ１１）において実行する。
【０１０８】
スイッチ１０２の押下検出処理（ステップＳ２１）を行い、フィルタパネル２２の着脱操作によりスイッチ１０２が切替えられたか否かを監視する。押下検出により検出信号が出力された場合、ロジック回路１０４においてチャタリング等の整合処理が行われ（ステップＳ２２）、この検出信号がチップセット１３８のＩ／Ｏ１０６で受信される（ステップＳ２３）。そして、この検出信号の受信を受けて、ＣＰＵ１０８等は、２Ｄ／３Ｄ切替プログラムを起動する（ステップＳ２４）。
【０１０９】
（３Ｄ画像抽出処理及び表示処理）
【０１１０】
図２３に示す３Ｄ画像の抽出及び画像表示は、例えば、２Ｄ／３Ｄ切替プログラムの実行開始を契機に開始する。
【０１１１】
そこで、３Ｄ画像の表示処理を開始するため、シャットダウンしているか否かの判断を行う（ステップＳ３１）。この処理において、例えば、ＰＣ２０の動作を終了させる場合や、利用者が画像表示を終了させる操作をした場合（ステップＳ３１のＹＥＳ）には、この画像表示処理を終了させる。画像表示処理が継続している場合、又は新たに画像表示処理を開始する場合（ステップＳ３１のＮＯ）、着脱監視結果を参照して、裸眼３Ｄフィルタであるフィルタパネル２２が表示部２４に取付けられているか否かを判断する（ステップＳ３２）。
【０１１２】
裸眼３Ｄフィルタがある場合（ステップＳ３２のＹＥＳ）、即ち、フィルタパネル２２が液晶表示ユニット３２に装着されている場合、３Ｄ画像表示モードに移行し、３Ｄ画像の抽出を行う。そこで、画像情報に含まれる識別情報に３Ｄ画像であることを示す識別子が有るか否かを判断する（ステップＳ３３）。この識別子がある場合（ステップＳ３３のＹＥＳ）には、３Ｄ画像情報であると判断して、画像表示を行う（ステップＳ３４）。また、識別子が無い場合（ステップＳ３３のＮＯ）には、３Ｄ画像情報では無いと判断して、画像をカットする（ステップＳ３６）。画像のカットは、例えば、画像データ格納部１２２にある画像情報を液晶表示ユニット３２に表示させない処理を行う。
【０１１３】
ここで、画像をカットした場合、表示部２４には、例えば、フィルタパネル２２の着脱状態に対応する画像情報が無い旨の表示や、利用者に対してフィルタパネル２２の着脱を促す旨を表示して報知を行ってもよい。
【０１１４】
また、フィルタパネル２２が取付けられていない場合（ステップＳ３２のＮＯ）、２Ｄ画像表示モードで表示処理を行う。そして、画像情報に３Ｄ画像であることを示す識別子が有るか否かを判断し（ステップＳ３５）、識別子がある場合（ステップＳ３５のＹＥＳ）には、画像情報が表示モードに一致しないので、画像を表示せずカットする（ステップＳ３６）。識別子が無い場合（ステップＳ３５のＮＯ）、選択した画像情報は、２Ｄ画像情報であると判断し、表示部２４に画像表示を行う（ステップＳ３４）。
【０１１５】
この画像情報の識別子の判断では、例えば、図２４Ａに示すように、画像情報に含まれる識別情報１５０を参照する。この識別情報１５０が３Ｄ画像情報か否かの判断では、例えば、この識別情報１５０内に特定のユーザデータ１５２が有るか否かを判断する。そして、このユーザデータ１５２内にある、図２４Ｂに示す特定のフォーマットデータ１５４を参照し、図２４Ｃに示す識別子１５６の記載が有るか否かを判断すればよい。
【０１１６】
また、他の例として、図２５に示す識別情報１６０内に特定の識別子１６２が有るか否かを判断すればよい。これらの識別情報１５０、１６０は、画像表示処理の規格に応じた識別情報を示すデータ構造の一例である。従って、識別情報は、図２４、図２５の内容に限られない。３Ｄ画像であるか否かは、例えば、実行する画像表示処理の規格や画像表示フォーマット等の種類に対応して判断すればよい。
【０１１７】
斯かる構成によれば、３Ｄを視聴可能にするフィルタパネルを着脱可能にし、その着脱状態を監視して、フィルタパネルの取付け時に３Ｄ画像、又は外した時に２Ｄ画像を視聴可能にすることができる。また、フィルタパネルの着脱状態の検出結果に応じて、２Ｄ画像又は３Ｄ画像を切替えることで、表示部の状態に適した画像の表示を行うことができる。更に、フィルタパネルの保持手段と、スイッチを押下するスライダとを一体に構成することで、フィルタパネルの着脱操作時に必ずスイッチが押下されるので、２Ｄ／３Ｄの切替処理を確実に行える。
【０１１８】
〔第１の実施の形態及び第２の実施の形態の利点及び特徴事項〕
【０１１９】
(1) このＰＣ２０は、表示装置、表示制御装置、電子機器の一例であって、表示部２４を備えており、この表示部２４の前面側に着脱可能な裸眼３Ｄ用のフィルタパネル２２を備える構成である。
【０１２０】
(2) このフィルタパネル２２は、表示部２４である液晶表示ユニット３２に対して水平に固定するため、例えば、フィルタパネル２２の底面側を液晶表示ユニット３２の保持部材６０の載置部６６に載置させる。また、枠部５０の側面上部側には、例えば、フィルタパネル２２を保持するロックスライダ３７が設置されている。
【０１２１】
(3) フィルタパネル２２に着脱操作を行うためのタブ３４を備えている。このタブ３４は、フィルタパネル２２の前面側のタブ付きパネル７０に一体化されているので、フィルタパネル２２の強度を保持するとともに、外観品質の向上を図ることができる。
【０１２２】
(4) このＰＣ２０は、フィルタパネル２２の着脱を監視し、その着脱に応じて３Ｄ／２Ｄモードを切替え、例えば、視聴可能なアプリケーションの抽出や切り替えを実行する。      
【０１２３】
(5) この表示装置、表示制御装置又は電子機器では、裸眼３Ｄフィルタを容易に着脱可能にする構成であり、表示部に対して設置位置等の調整が必要無く、３Ｄ画像又は２Ｄ画像の視聴を容易に切替えられる。そして、裸眼３Ｄフィルタの着脱に応じて、例えば、３Ｄ映像視聴アプリケーションを起動させることを可能にしている。
【０１２４】
(6) このＰＣ２０では、液晶表示ユニット３２の前面側の周囲に枠部５０設置している。そして、この枠部５０のうち、下部枠５８には、フィルタパネル２２を保持するための突部６４が形成され、フィルタパネル２２は、この突部６４の後部の溝に配置させる。また、左右の側部枠５４、５６には、先端側にロック部３８を形成した可動するロックスライダ３７を備えており、フィルタパネル２２のタブ３４に形成した開口部３６を係止している。フィルタパネル２２の取り外しでは、このタブ３４を掴むとともにロック部３８を押下することで、フィルタパネル２２のロック状態を解除することができる。また、このロック部３８の押下に着脱検出手段を連動させることで、画像提供手段側の２Ｄモード又は３Ｄモードへの切替を確実に行うことができる。
【０１２５】
(7) フィルタパネル２２は、液晶表示ユニット３２を保持する保持部材６０の載置部６６に載置させる。また、フィルタパネル２２の着脱操作において、フィルタパネル２２の底部を載置部６６に載置した後に、この底部側を回転中心として、上部側を液晶表示ユニット３２側に向けて回動させる。これにより、大型で重量のあるフィルタパネル２２であっても、確実に所定位置に設置することができるとともに、必要な水平度を保つことができる。さらに、液晶表示ユニット３２に対して平行を維持することができる。
【０１２６】
〔その他の実施の形態〕
【０１２７】
(1) 上記実施の形態では、表示装置、表示制御装置又は電子機器の一例としてＰＣ２０を示したがこれに限られない。本発明では、２Ｄ画像又は３Ｄ画像を表示可能であり、フィルタパネルを着脱させる表示部を備え、このフィルタパネルの着脱を検出し、さらにこの着脱に連動して画像モードを切替える画像提供手段を備えればよい。
【０１２８】
そこで、例えば、図２６に示すように、所謂タブレット型の携帯情報端末機（ＰＤＡ：Personal Digital Assistant）２００を利用してもよい。このＰＤＡ２００は、例えば、操作パネルを備えた表示部２０２に着脱可能なフィルタパネル２０４を備えている。このフィルタパネル２０４は、既述のようにタブ２０６が形成されており、このタブ２０６に対してＰＤＡ２００に設置されたロックスライダ２０８の一部を係止させる。
【０１２９】
さらに、筐体の内部には、着脱検出手段２１０や、フィルタパネル２０４の移動を阻止する下部枠２１２を備えている。ロックスライダ２０８は、側部枠２１４に形成されており、フィルタパネル２０４の着脱時にスライドさせている。そして、既述のように着脱検出手段２１０は、このロックスライダ２０８のスライド動作を利用して着脱検出を行ってもよく、又はセンサ等により直接フィルタパネル２０４の着脱状態を検出してもよい。
【０１３０】
その他、ＰＤＡ２００は、着脱検出手段２１０の着脱検出結果に連動して、２Ｄ画像又は３Ｄ画像の抽出を行って、画像表示モードの切替を行えばよい。
【０１３１】
その他、３Ｄ画像の表示が可能な表示装置、表示制御装置又は電子機器として、例えば、テレビジョン受像器、ゲーム機、携帯電話機等に用いてもよい。
【０１３２】
(2) また、上記実施の形態では、表示装置に対する画像提供手段として、ＰＣ本体部２６を示したが、これに限られない。例えば、表示装置に接続した２Ｄ画像及び３Ｄ画像を実行再生可能なプレイヤー装置等であってもよい。その他、例えば、２Ｄ画像又は３Ｄ画像の何れか一方のみを実行再生可能な電子機器であってもよい。そして、表示装置側からのフィルタパネルの着脱検出結果に連動して、この表示部２４の着脱状態と電子機器の再生機能が適しているかを判断し、その旨の報知を行ってもよい。例えば、３Ｄ画像の再生機能を備えない電子機器が接続された表示装置２は、フィルタパネル２２が液晶表示ユニット３２に装着されている場合には、画像をカットし、又は実行再生状態に適さないことを表示してもよい。
【０１３３】
(3) 上記実施の形態では、フィルタパネルの着脱検出結果に応じて、２Ｄ画像又は３Ｄ画像の何れか一方を表示させ又は表示可能な画像情報の一覧を表示することを示したが、これに限られない。表示部２４は、フィルタパネル２２を取付けた場合であっても、２Ｄ画像を表示してもよい。この場合、ＰＣ２０は、例えば、画像データ格納部１２２にある画像データの内、着脱検出結果に応じて抽出した画像データを最適な画像データとして表示し、その他の画像データを視覚可能な画像データとして表示させてもよい。
【０１３４】
(4) その他、フィルタパネル２２を保持するロックスライダ３７は、側部枠５４、５６にそれぞれ設置していたがこれに限られない。そこで、図２７に示すＰＣ３００は、液晶表示ユニット３０４の上部側でフィルタパネル３０２を保持している。フィルタパネル３０２の上部側中央にタブ３０６を備え、このタブ３０６に合せて筐体部３１２には、ロックスライダ３０８及び着脱検出手段３１０を設置してもよい。
【０１３５】
(5) ＰＣ２０は、２Ｄ／３Ｄ画像切替処理において、例えば、表示部２４とＰＣ本体部２６とをＵＳＢ（Universal Serial Bus）接続している場合、又は仮想的にＵＳＢ接続していると判断される場合は、ＵＳＢインターフェースを利用してもよい。そこで、図２８に示すように、例えば、ＰＣ２０のＣＰＵ１０８は、ロジック回路１０４を通過した着脱検出信号をマイコンのＧＰＩＯで受信し（ステップＳ４３）、この信号をチップセットに含まれるＰＣＨ（Platform Controller Hub ）を通じて出力させてもよい（ステップＳ４４）。図２８において、ステップＳ４１、ステップＳ４２、ステップＳ４５は、図２２のステップＳ２１、ステップＳ２２、ステップＳ２５と同様に行えばよく、その説明を省略する。斯かる構成によっても、上記実施の形態と同様の効果を得ることができる。
【０１３６】
次に、以上述べた実施例を含む実施の形態に関し、更に以下の付記を開示する。以下の付記に本発明が限定されるものではない。
【０１３７】
（付記１）
３Ｄ画像を表示可能な表示部と、
前記表示部の前面に着脱可能に取り付けられ、前記表示部の表示画像より立体画像を透過させるフィルタパネルと、
前記フィルタパネルの着脱を検出する着脱検出手段と、
を備えることを特徴とする表示装置。
【０１３８】
（付記２）さらに、前記表示部の前面に前記フィルタパネルを保持させるパネル保持手段と
を備えることを特徴とする付記１に記載の表示装置。
【０１３９】
（付記３）前記着脱検出手段は、
前記フィルタパネルの着脱により進退するスライダと、
前記スライダと接触して切替えられるスイッチと、
を備えることを特徴とする付記１に記載の表示装置。
【０１４０】
（付記４）前記パネル保持手段は、
前記フィルタパネルの着脱により進退するスライダと、
前記スライダに形成され、前記フィルタパネルの一部に係合させて、前記フィルタパネルを前記表示部の前面に保持させる係合手段と、
を備える付記２に記載の表示装置。
【０１４１】
（付記５）前記表示部の前面側に配置させて表示窓部を形成する筐体を備え、
前記パネル保持手段は、
前記表示部の少なくとも下辺の前面側に配置され、前記フィルタパネルを載置させる載置部と、
前記表示窓部に沿って配置され、前記表示部の前面側と前記筐体との間に隙間を形成するとともに、前記表示部の少なくとも一辺側に、前記フィルタパネルが前記表示窓部側に移動するのを阻止する突部を形成した枠部と、
を備えることを特徴とする、付記２又は付記４に記載の表示装置。
【０１４２】
（付記６）前記スライダは、前記枠部に形成されたことを特徴とする、付記３又は付記４に記載の表示装置。
【０１４３】
（付記７）３Ｄ画像を表示可能な表示部の前面に着脱可能に取り付けられ、前記表示部の表示画像から立体画像を透過させるフィルタパネルと、
前記フィルタパネルの着脱を検出する着脱検出手段と、
前記フィルタパネルが取り付けられた場合に、前記表示部の画像表示を３Ｄ画像モードに移行させる制御部と、
を備えることを特徴とする表示制御装置。
【０１４４】
（付記８）前記表示部に表示させる画像情報を提供する画像提供手段を備え、
前記制御部は、前記フィルタパネルが取り付けられた場合に前記画像提供手段から３Ｄ画像情報を抽出して前記表示部に表示させることを特徴とする、付記７に記載の表示制御装置。
【０１４５】
（付記９）前記制御部は、前記着脱検出手段の検出結果から前記表示部に前記フィルタパネルが無い場合、前記画像提供手段にある前記３Ｄ画像情報を含まない画像情報を抽出して前記表示部に表示させることを特徴とする、付記８に記載の表示制御装置。
【０１４６】
（付記１０）前記制御部は、前記画像提供手段が提供する画像情報に含まれる識別子に基づいて３Ｄ画像情報を判断することを特徴とする、付記８又は９に記載の表示制御装置。
【０１４７】
（付記１１）３Ｄ画像を表示可能な表示部の前面に着脱されるフィルタパネルの着脱を監視し、前記表示部に前記フィルタパネルが取り付けられたことを検出し、
前記表示部の画像表示を３Ｄ画像モードに移行させる、
ことを特徴とする表示制御方法。
【０１４８】
（付記１２）前記フィルタパネルが取り付けられた場合に、前記表示部に表示させる画像情報を提供する画像提供手段から３Ｄ画像情報を抽出し、
抽出した該３Ｄ画像情報を前記表示部に表示させる、
ことを特徴とする付記１１に記載の表示制御方法。
【０１４９】
（付記１３）前記表示部に前記フィルタパネルが無い場合、前記画像提供手段にある前記３Ｄ画像情報を含まない画像情報を抽出し、
該画像情報を前記表示部に表示させる
ことを特徴とする付記１１に記載の表示制御方法。
【０１５０】
（付記１４）３Ｄ画像を表示可能な表示部と、
前記表示部の前面に着脱可能に取り付けられ、前記表示部の表示画像から立体画像を透過させるフィルタパネルと、
前記フィルタパネルの着脱を検出する着脱検出手段と、
前記フィルタパネルが取り付けられた場合に、前記表示部の画像表示を３Ｄ画像モードに移行させる制御部と、
を備えることを特徴とする電子機器。
【０１５１】
以上説明したように、表示装置、表示制御装置、表示制御方法及び電子機器の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１５２】
２  ディスプレイ装置
４、２４  表示部
６、２２  フィルタパネル
８、２８  筐体部
１０  着脱検出部
２０  ＰＣ
２６  ＰＣ本体部
３０  ディスクドライブ装置
３２  液晶表示ユニット
３４  タブ
３６  開口部
３７  ロックスライダ
３８  ロック部
４４  表示窓部
５０  枠部
５２  上部枠
５４、５６  側部枠
５８  下部枠
６０  保持部材
６４  突部
６６  載置部
７０  タブ付きパネル
７２  補強パネル
７４  ３Ｄパネル
７６  フィルム
８０  開口
８４、８６  係止爪
９０  スライドピン
９２、９４  係止孔
９６  ガイド孔
９８  スプリング
１００  傾斜面部
１０２  スイッチ
１０６  Ｉ／Ｏ
１０８  ＣＰＵ
１１０  ２Ｄ／３Ｄ切替検出部
１１１  制御部
１１２  インタラプトイベント発生部
１１４  ３Ｄアプリケーション起動部
１１６  ３Ｄ識別情報判別部
１１８  表示実行部
１２０  画像データ入力部
１２２  画像データ格納部
１３０  記憶部
１３２  ＲＡＭ
１３８  チップセット
１４０  プログラム記憶部
１４２  データ記憶部
１５６、１６２  識別子
２００  ＰＤＡ
【図１】
0005617673.tif 000002
【図２】
0005617673.tif 000003
【図３】
0005617673.tif 000004
【図４】
0005617673.tif 000005
【図５】
0005617673.tif 000006
【図６】
0005617673.tif 000007
【図７】
0005617673.tif 000008
【図８】
0005617673.tif 000009
【図９】
0005617673.tif 000010
【図１０】
0005617673.tif 000011
【図１１】
0005617673.tif 000012
【図１２】
0005617673.tif 000013
【図１３】
0005617673.tif 000014
【図１４】
0005617673.tif 000015
【図１５】
0005617673.tif 000016
【図１６】
0005617673.tif 000017
【図１７】
0005617673.tif 000018
【図１８】
0005617673.tif 000019
【図１９】
0005617673.tif 000020
【図２０】
0005617673.tif 000021
【図２１】
0005617673.tif 000022
【図２２】
0005617673.tif 000023
【図２３】
0005617673.tif 000024
【図２４】
0005617673.tif 000025
【図２５】
0005617673.tif 000026
【図２６】
0005617673.tif 000027
【図２７】
0005617673.tif 000028
【図２８】
0005617673.tif 000029